(57)【要約】【課題】上面が底面よりも大きく、上面に着脱可能な蓋を備えた飲料容器に使用することのできる販売促進部材を提供する。【課題を解決するための手段】販売促進部材１は、飲料容器１１に装着した蓋１２の上面周縁部に載置する環状の載置部２と、この載置部２を挟んで互いに対向するように、かつ、上縁の中央部が載置部２に向けて突出するよう湾曲形成した、蓋１２の縁部内側に下方から着脱可能に係合する一対の係合部３，４と、一方の係合部４の下端に設けるとともに、側面から景品６を挿入、抜脱しうるよう筒状に形成した景品６を収納する景品収容部５とからなるものである。【選択図】図３
2007145335.tif 000002
【特許請求の範囲】
【請求項１】
上面が底面より大きく、上面に着脱可能な蓋を備えた飲料容器に用いるは販売促進部材であって、飲料容器に装着した蓋の上面に載置する載置部と、蓋の縁部内側に下方から着脱可能に係合する一対の係合部と、販売促進部とからなることを特徴とする飲料容器用販売促進部材。
【請求項２】
載置部は蓋の周縁部に載置するよう環状に形成し、一対の係合部は、前記載置部を挟んで互いに対向するように、かつ、上縁の中央部が前記載置部に向けて突出するよう湾曲形成し、販売促進部は一方の係合部の下端に設けたことを特徴とする請求項１記載の飲料容器用販売促進部材。
【請求項３】
販売促進部は、販売促進用の景品を収納する景品収容部および／または宣伝広告を表示する宣伝広告表示部であることを特徴とする請求項１または請求項２記載の飲料容器用販売促進部材。
【発明の詳細な説明】
【技術分野】
【０００１】
本発明は、上面が底面よりも大きく、上面に着脱可能な蓋を備えたカップタイプの飲料容器に用いる販売促進部材に関する。
【背景技術】
【０００２】
従来から種々の形状の飲料容器には案配促進用の景品や宣伝広告表示などを付けて販売するために、各種構成の販売促進部材が提供されている。例えば、金属製缶タイプの飲料容器に対しては、その上下面の一方の縁部に着脱可能に嵌合する溝を設けた、景品を収容する蓋状の硬質合成樹脂製の景品収納容器からなる販売促進部材が知られている。また、例えば、合成樹脂製の壜タイプの飲料容器に対しては、首部に挿通して肩部に掛止する透孔を有する支持部の下端に景品収納部や宣伝広告表示部を設けた軟質合成樹脂製の販売促進部材が知られている。
【特許文献１】実公昭６０−３０７６号公報
【特許文献２】登録実用新案第３０９７４８９号公報
【特許文献３】登録実用新案第３０９６４０２号公報
【発明の開示】
【発明が解決しようとする課題】
【０００３】
ところが、上面が底面よりも大きく、上面に着脱可能な蓋を備えた紙製や合成樹脂製のカップタイプの飲料容器は、前記蓋に景品収納容器の嵌合溝を嵌合するための縁部が存在せず、また販売促進部材の透孔を掛止する首部が存在しないので、従来の販売促進部材を使用することはできなかった。本発明は、このような事情に鑑みてなされたもので、上面が底面よりも大きく、上面に着脱可能な蓋を備えた紙製、あるいは軟質合成樹脂製のカップタイプの飲料容器に使用することのできる販売促進部材を提供することを目的とする。
【課題を解決するための手段】
【０００４】
この目的を達成するため、本発明の請求項１に係る飲料容器用販売促進部材は、飲料容器に装着した蓋の上面に載置する載置部と、蓋の縁部内側に下方から着脱可能に係合する一対の係合部と、販売促進部とからなるものである。
【０００５】
また、同じく上述の目的を達成するため、本発明の請求項２に係る飲料容器用販売促進部材は、上記請求項１の構成において、載置部は蓋の周縁部に載置するよう環状に形成し、一対の係合部は、載置部を挟んで互いに対向するように、かつ、上縁の中央部が前記載置部に向けて突出するよう湾曲形成し、販売促進部は一方の係合部の下端に設けたものである。
【０００６】
さらに、同じく上述の目的を達成するため、本発明の請求項３に係る飲料容器用販売促進部材は、上記請求項１または請求項２の構成において、販売促進部は、販売促進用の景品を収納する景品収容部と宣伝広告を表示する宣伝広告表示部の両方またはいずれか一方からなるものである。
【発明の効果】
【０００７】
本発明の請求項１に係る飲料容器用販売促進部材によれば、飲料容器に装着した蓋に、載置部と一対の係合部によって上下方向から挟むように取り付けるので、安定した状態で確実に支持することができるとともに、蓋からの取り外しも容易である、という効果を奏する。
【０００８】
本発明の請求項２に係る飲料容器用販売促進部材によれば、上記効果に加えて、載置部が環状なので、蓋上面に他の飲料容器を積み重ねることができる、という効果を奏する。
【０００９】
本発明の請求項３に係る飲料容器用販売促進部材によれば、上記各効果に加えて、景品または宣伝広告表示によって、販売促進効果が向上するものである。
【発明を実施するための最良の形態】
【００１０】
以下、本発明の好適な実施形態を添付図面に基づいて説明する。ここにおいて、図１〜図３は飲料容器用販売促進部材（以下単に販売促進部材という。）の販売促進部として景品を収納する景品収容部を採用した実施形態を示すもので、図１は平面図、図２は図１のＡ−Ａ線断面図、図３はその飲料容器への取り付け状態を示す斜視図である。また、図４は販売促進部として宣伝広告表示部を採用した実施形態示す平面図である。
【００１１】
まず、本発明を適用する飲料容器を説明する。図３に示すように、飲料容器１１は、逆円錐台状のカップタイプで、上面が底面よりも大きく、上面には着脱可能な蓋１２を装着している。前記飲料容器１１及び前記蓋１２は、紙製あるいは軟質性合成樹脂製が好適である。なお、この飲料容器１１は、各実施形態に共通して使用されるものである。
【００１２】
第１の実施形態に係る販売促進部材１は、図１及び図２に示すように、柔軟性を有する軟質合成樹脂や合成紙などのシート材からなり、ほぼ環状の載置部２は、飲料容器１１に装着した蓋１２の上面周縁部に載置するものである（図３参照）。この載置部２を挟んで互いに対向するように、各一対の連結部７ａ，７ｂ，８ａ，８ｂを介して一対の係合部３，４を連設し、これら係合部３，４は、蓋１２の縁部内側に下方から着脱可能に係合するもので、確実な係合を保障するように、上縁の中央部が載置部２に向けて突出するよう湾曲形成している。一方の係合部４の下端には、販売促進部である筒状の景品収容部５を設け、側面から景品６を挿入、抜脱しうるよう形成している。
【００１３】
本実施形態の販売促進部材１は上述のように構成したので、図３に示すように、筒状の景品収容部５の側面から景品６を挿入して、収納し、載置部２を蓋１２の周縁部に載置したうえ、景品収容部５側の係合部４を蓋１２の内側に下方から係合し、次に、他方の係合部３を同様に蓋１２の内側に下方から係合すると取り付けが完了する。この取り付け状態において、販売促進部材１は、載置部２と一対の係合部３、４によって、上下方向から挟むようにして蓋１２に確実に支持される。したがって、飲料容器１１の搬送や保管などの取扱中に、販売促進部材１が不用意に蓋１２から外れる虞はない。一方、蓋１２から販売促進部材１を取り外すには、係合部３，４の蓋１２に対する係合状態を解除すればよいものである。そして、景品６は景品収容部５の側面から容易に引き抜いて、取り出すことができる。
【００１４】
続いて、図４に基づき第２の実施形態を説明する。この実施形態が上述した第１の実施形態と相違するのは、販売促進部として景品収容部５に換えて広告宣伝表示部２５を採用した点のみであり、他の構成要素は同一構成である。すなわち、販売促進部材２１は、柔軟性を有する軟質合成樹脂や合成紙などのシート材からなり、ほぼ環状の載置部２２は、飲料容器１１に装着した蓋１２の上面周縁部に載置するものであって（図３参照）、前記載置部２２を挟んで互いに対向するように、各一対の連結部２７ａ，２７ｂ，２８ａ，２８ｂを介して一対の係合部２３，２４を連設し、これら係合部２３，２４は、蓋１２の縁部内側に下方から着脱可能に係合するもので、確実な係合を保障するように、上縁の中央部が載置部２２に向けて突出するよう湾曲形成している。そして、一方の係合部２４の下端には、販売促進部であるシート状の宣伝広告表示部２５を設け、その表面には宣伝広告文２９を表示している。
【００１５】
また、本実施形態の蓋１２に対する取り付け、及び取り外しの手順も上述した第１の実施形態におけると同様である。すなわち、載置部２２を蓋１２の周縁部に載置したうえ、係合部２４を蓋１２の内側に下方から係合し、次に、他方の係合部２３を同様に蓋１２の内側に下方から係合すると取り付けが完了する一方、蓋１２から販売促進部材２１を取り外すには、係合部２３，２４の蓋１２に対する係合状態を解除すればよいものである。取り付け状態において、販売促進部材２１は、載置部２２と一対の係合部２３、２４によって、上下方向から挟むようにして蓋１２に確実に支持されるので、飲料容器１１の搬送や保管などの取扱中に、販売促進部材２１が不用意に蓋１２から外れる虞はない。
【００１６】
なお、本発明は上述の各実施形態に限定されるものではなく、例えば、載置部２，２２は環状に限らず、円形状や、間隔をおいて位置する一対の帯体あるいは一本の帯体でもよい。また、景品収容部５は筒状に限らず、四周縁を密閉した袋状や、三周縁を密閉して一縁に封着片を剥離、再接着可能な粘着剤で開閉可能に設けた袋状でもよい。さらに、宣伝広告表示部２５は、宣伝広告文２９を表示するのみならず、単独であるいは宣伝広告文２９とともに、宣伝広告用の図や写真を表示してもよい。またさらに、景品収容部５の表面に、宣伝広告文２９や宣伝広告用の図あるいは写真を表示してもよい。
【図面の簡単な説明】
【００１７】
【図１】第１実施形態の販売促進部材を示す平面図。
【図２】図１のＡ−Ａ線断面図。
【図３】飲料容器への取り付け状態を示す斜視図。
【図４】第２実施形態の販売促進部材を示す平面図。
【符号の説明】
【００１８】
１，２１      販売促進部材
２，２２      載置部
２，３，２３，２４      係合部
５      景品収容部
６      景品
１１      飲料容器
１２      蓋
２５      宣伝広告表示部
２９      宣伝広告文  
【図１】
2007145335.tif 000003
【図２】
2007145335.tif 000004
【図３】
2007145335.tif 000005
【図４】
2007145335.tif 000006